(57)【要約】  本発明は体液分析用の検査装置に関するもので、本発明に係る装置は、対象体液を拡大して観察するための拡大レンズが備えられる第１組立体、第１組立体に組み立てることができるように構成されて、光を集光するレンズ透過孔が備えられる第２組立体及び第１組立体と第２組立体の間で対象体液を収容する観察シートを含み、観察シートは、第１組立体及び第２組立体の内側に配置されるボディ部及びボディ部から延長される掴み部を含む。本発明によれば、ユーザーが手軽に携帯して便利に使用することができる体液分析用の検査装置を提供して、ユーザーが希望する場所及び時間に直接に体液検査を行うことができ、体液の分析結果をユーザー端末を通じてすぐに確認できるようにする。
2021521468.tif 000002
【特許請求の範囲】
【請求項１】
対象体液を拡大して観察するための拡大レンズが備えられる第１組立体、上記の第１組立体に結合できるように構成され光を集光するレンズ透過孔が備えられる第２組立体、及び第１組立体及び上記の第２組立体との間で上記の対象体液を収容する観察シートを含み、上記の観察シートは、上記の第１組立体及び上記の第２組立体の内側に配置されるボディ部及び上記のボディ部から延長される掴み部を含む体液分析用の検査装置。
【請求項２】
上記の第１組立体は、第１組立ボディ、上記の第１組立ボディの内側に上記の観察シートが安着できるように形成される安着溝、上記の安着溝に形成されて上記の第１組立ボディを貫通する貫通孔、及び上記の第２組立体と組み立てることができるように上記の第１組立ボディの上面に形成される少なくとも一つの結合溝をさらに含む、請求項１に記載の体液分析用の検査装置。
【請求項３】
上記の掴み部は、上記の第１組立体及び上記の第２組立体の外部空間に配置される、請求項２に記載の体液分析用の検査装置。
【請求項４】
上記の第１組立体は、上記の安着溝と外部空間を連通させる第１連通孔をさらに含む、請求項３に記載の体液分析用の検査装置。
【請求項５】
上記の拡大レンズは、上記の安着溝に内設される、請求項２に記載の体液分析用の検査装置。
【請求項６】
上記の第１組立体は、上記の第１組立ボディの外枠に沿って、段になるように形成され、上記の第２組立体との結合による組立を案内する第１周囲段顎をさらに含む、請求項４に記載の体液分析用の検査装置。
【請求項７】
上記の第２組立体は、第２組手ボディ、及び上記の少なくとも一つの結合溝と結合されるように上記の第２組立ボディの下面に形成される少なくとも一つの結合突起をさらに含む、請求項６に記載の体液分析用の検査装置。
【請求項８】
上記の第２組立体は、上記の観察シートの掴み部が外部空間に配置されるように上記の第２組立ボディに形成される第２連通孔をさらに含む、請求項７に記載の体液分析用の検査装置。
【請求項９】
上記のレンズ透過孔は、上記の第２組立ボディの上側から下側に貫通される、請求項７に記載の体液分析用の検査装置。
【請求項１０】
上記の第２組立体は、上記の第２組立ボディの外枠に沿って、段になるように形成され、上記の第１組立体との結合による組立を案内する第２周囲突起をさらに含む、請求項８に記載の体液分析用の検査装置。
【請求項１１】
上記のボディ部は、上記の対象体液が投入されるように形成される体液投入部、及び上記の体液投入部に投入された上記の対象体液が上記の拡大レンズの視野で観察されるように誘導する体液誘導部を含む、請求項１に記載の体液分析用の検査装置。
【請求項１２】
上記の体液投入部は、上記の対象体液の投入を誘導するように上記のボディ部に形成される少なくとも一つの体液ガイド溝を含む、請求項１１に記載の体液分析用の検査装置。
【請求項１３】
上記の第１組立体は、ユーザー端末のカメラに着脱できるように設置される、請求項１に記載の体液分析用の検査装置。
【発明の詳細な説明】
【技術分野】
【０００１】
本発明は、体液分析用の検査装置に関するもので、より詳しくは、場所や時間の制限なしに、ユーザーが直接に体液を検査して、体液の分析結果をユーザー端末を通じて確認することができるようにした体液分析用の検査装置に関するものである。
【背景技術】
【０００２】
一般的に、人々は自分の健康や身体状況を確認するために専門医療機関を訪問しなければならないが、専門医療機関を訪問し検診を受けるためには、忙しい日常生活の中で時間を見つけたりして、複雑なプロセスの手続きを進める必要があるため、多くの時間とコストがかかる。これにより、ほとんどの人は、ほとんどの不快感は甘受し生活して、耐えがたいほどの痛みや不快感が発生してから専門医療機関を用いる状態である。このような不便さを解消するために、様々な先端の装備を用いて、身体状況を頻繁に確認し、これをネットワークを通じて専門医療機関に伝達し、チェックする技術が開発されたが、実際に商品化されて利用される技術は、極めてまれな実情である。
【０００３】
むしろ、過去から用いられた簡単なテスト機の使用は着実に増加しており、特に、便利な使い方、低コスト、専門医療機関の利用時の不快感を解消することができるので、若い世代の間での使用率がさらに増加している。
【０００４】
このようなテスト機は、人々の身体から排出される分泌物又は体液、例えば、唾液、尿、汗、血または精子などを用いて特定の状況で排出されるホルモンのような生化学物質を検出するようにするもので、比較的に精度が高く、使いやすいメリットがあり、主に妊娠の診断、糖尿病の診断または血糖値のチェックのようなテストの手段として用いられている。
【０００５】
最近になって、結婚年齢が増加し、ストレスが増加することにつれて、不妊と難妊の夫婦が増加しており、これにより、妊娠診断のテスト機の使用が増加する傾向にある。これらの妊娠診断のテスト機は、妊娠の可否のみを判別することができるだけで不妊及び難妊で悩まされているユーザーに対しては、助けにはならない状況である。さらにこれさえも女性の妊娠だけを確認することができるもので、女性の妊娠の可能性の可否や、男性の生殖能力のような事項は、専門の医療機関でのみ確認することができる限界があった。
【０００６】
特に、男性の生殖能力を確認するための精子検査は男性が実験室で精液のサンプルを射精することを要求するが、これは男性にはにかみや羞恥心を感じさせることができ、自宅で精子サンプルを採取する場合、実験室に迅速に持ち込んでくることを要求されることもあるが、これは運搬中に精子が死ぬことができる危険性があった。
【発明の概要】
【発明が解決しようとする課題】
【０００７】
したがって、本発明が解決しようとする技術的課題は、ユーザーが手軽に携帯して便利に用いることができる体液分析用の検査装置を提供して、ユーザーが希望する場所及び時間に直接に体液検査を行うことができ、体液の分析結果をユーザー端末を通じてすぐに確認できるようにした体液分析用の検査装置を提供することである。
【０００８】
また、本発明は、明示的に言及された目的以外にも、後述する本発明の構成から達成することができる他の目的も含む。
【課題を解決するための手段】
【０００９】
上記した技術的課題を解決するための本発明の実施例による、対象体液を拡大して観察するための拡大レンズが備えられる第１組立体、上記の第１組立体に結合できるように構成され光を集光するレンズ透過孔が備えられる第２組立体、及び第１組立体及び上記の第２組立体の間で上記の対象体液を収容する観察シートを含み、上記の観察シートは、上記の第１組立体及び上記の第２組立体の内側に配置されるボディ部及び上記のボディ部から延長される掴み部を含む。
【００１０】
上記の第１組立体は、第１組立ボディ、上記の第１組立ボディの内側に上記の観察シートが安着できるように形成される安着溝、上記の安着溝に形成されて上記の第１組立ボディを貫通する貫通孔、及び上記の第２組立体と組み立てることができるように上記の第１組立ボディの上面に形成される少なくとも一つの結合溝をさらに含むことができる。
【００１１】
上記の掴み部は、上記の第１組立体及び上記の第２組立体の外部空間に配置されることができる。
【００１２】
上記の第１組立体は、上記の安着溝と外部空間を連通させる第１連通孔をさらに含むことができる。
【００１３】
上記の拡大レンズは、上記の安着溝に内設される。
【００１４】
上記の第１組立体は、上記の第１組立ボディの外枠に沿って、段になるように形成され、上記の第２組立体との結合による組立を案内する第１周囲段顎をさらに含むことができる。
【００１５】
上記の第２組立体は、第２組手ボディ、及び上記の少なくとも一つの結合溝と結合されるように上記の第２組立ボディの下面に形成される少なくとも一つの結合突起をさらに含むことができる。
【００１６】
上記の第２組立体は、上記の観察シートの掴み部が外部空間に配置されるように上記の第２組立ボディに形成される第２連通孔をさらに含むことができる。
【００１７】
上記のレンズ透過孔は、上記の第２組立ボディの上側から下側に貫通されることができる。
【００１８】
上記の第２組立体は、上記の第２組立ボディの外枠に沿って、段になるように形成され、上記の第１組立体との結合による組立を案内する第２周囲突起をさらに含むことができる。
【００１９】
上記のボディ部は、上記の対象体液が投入されるように形成される体液投入部、及び上記の体液投入部に投入された上記の対象体液が上記の拡大レンズの視野で観察されるように誘導する体液誘導部を含むことができる。
【００２０】
上記の体液投入部は、上記の対象体液の投入を誘導するように上記のボディ部に形成される少なくとも一つの体液ガイド溝を含むことができる。
【００２１】
上記の第１組立体は、ユーザー端末のカメラに着脱できるように設置されることができる。
【発明の効果】
【００２２】
このように、本発明の実施例に係る体液分析用の検査装置によると、ユーザーが手軽に携帯しながら便利に用いることができ、ユーザー端末のカメラの部位に容易に着脱できる体液分析用の検査装置を提供して、ユーザーが望む場所及び時間に直接に検査を行うことができ、体液の分析結果をユーザー端末を通じてすぐに確認することができるメリットがある。
【００２３】
また、女性および男性の両方が用いることができるようにして、女性は自分の排卵期を確認して妊娠の可能性が高い時期を確認することができ、男性は自分の精子の状態を確認できるようにすることで、妊娠の可能性を高めることができる。
【００２４】
さらに、体液分析用の検査装置をユーザー端末に用いることにおいて、装置の付着が容易だけでなく、カメラの周りに一定に体液分析用の検査装置を取り付けることができる。
【００２５】
また、体液が収容される観察シートにユーザーが把持することができる掴み部を備えて、ユーザーによって体液が汚染されることを防止するだけでなく、体液分析用の検査装置の内部に観察シートを容易に安着させ、分離することができる。
【００２６】
一方、本発明の効果は、上述したものに限定されず、後述する本発明の構成から導出することができる他の効果も、本発明の効果に含まれる。
【図面の簡単な説明】
【００２７】
【図１】図１は、本発明の一実施例によるユーザー端末に装着される体液解析用の検査装置の例示図である。
【図２】図２は、本発明の一実施例による体液分析用の検査装置の分解斜視図である。
【図３ａ】図３ａは、本発明の一実施例による第１組立体の平面図である。
【図３ｂ】図３ｂは、図３ａに図示したＡ−Ａ線の拡大断面図である。
【図４ａ】図４ａは、本発明の一実施例による第２組立体の平面図である。
【図４ｂ】図４ｂは、図４ａに図示したＢ−Ｂ線の拡大断面図である。
【図５】図５は、本発明の一実施例による観察シートの平面図である。
【発明を実施するための最良の形態】
【００２８】
本明細書及び請求の範囲で用いられた用語や単語は通常的であるか、辞書的な意味に限定して解釈されてはならず、発明者は、自分自身の発明を最も最善の方法で説明するために、用語の概念を適切に定義することができるという原則に立脚して、本発明の技術的な思想に符合する意味と概念で解釈されるべきである。
【００２９】
したがって、本明細書に記載された実施例と図面に図示された構成は、本発明の最も望ましい一実施例に過ぎないだけで、本発明の技術的な思想をすべて代弁するものではないので、本出願時点においてこれらを代替することができる様々な均等物と変形例があり得ることを理解しなければならない。
【００３０】
図１は本発明の一実施例によるユーザー端末に装着される体液解析用の検査装置の例示図及び、図２は本発明の一実施例による体液分析用の検査装置の分解斜視図を示す。
【００３１】
図１及び図２に示すように、体液分析用の検査装置１は、ユーザー端末１０のカメラ１１を通じて対象体液を撮影して、体液の映像が生成されるようにして、体液の映像を分析した結果、ユーザー端末１０を通じて確認できるようにする。ユーザー端末１０は、予めインストールされている分析プログラムや分析アプリケーションを通じて体液の映像を分析し、分析された結果を出力して、ユーザーに提供したり、専門検診機関に渡すことができる。
【００３２】
体液分析用の検査装置１は、ユーザー端末１０のカメラ１１に着脱できるように設置される第１組立体１００、第１組立体１００に結合できるように設置される第２組立体２００及び、第１組立体１００と第２組立体２００との間で対象体液を収容する観察シート３００を含んで構成される。
【００３３】
第１組立体１００は、ユーザー端末１０のカメラ１１に着脱できるように設置されてカメラ１１が、対象体液を撮影できるように構成される。ここで、第１組立体１００は、ユーザー端末１０のカメラ１１付近に接着剤で付着したり、クリップの形からなる別の装着部材を通じてユーザー端末１０に選択的に付着されたり、削除したりすることができる。この際、装着部材は、クリップの形に限定されず、ユーザー端末１０に付着することができる様々な形からなることができる。
【００３４】
図３ａは、本発明の一実施例による第１組立体の平面図及び図３ｂは、図３ａに示したＡ−Ａ線の拡大断面図を示す。
【００３５】
図３ａ及び図３ｂを参考にすれば、第１組立体１００は、平板の第１組立ボディ１１０、第１組立ボディ１１０の内側に観察シート３００が安着できるように形成される安着溝１２０、安着溝１２０に形成されて、第１組立ボディ１１０を貫通する貫通孔１３０、安着溝１２０と外部空間を連通させる第１連通孔１４０及び第２組立体２００と組み立てできるように、第１組立ボディ１１０の上面に形成される少なくとも一つの結合溝１５０を含むことができる。
【００３６】
第１組立ボディ１１０は、外部の衝撃や汚染から対象体液を保護することができ、ユーザー端末１０のカメラ１１が対象体液を安定的に撮影できるように、合成樹脂又は金属などのように外部の衝撃に強く軽い物質で構成することができる。また、第１組立ボディ１１０の外面は、光の透過が限られた部分でのみからなるように、非透過性の塗料で着色されたり、または不透明な材料からなることができる。安着溝１２０は、第１組立ボディ１１０の上面の中心部に一定の幅を有する溝の形で形成されことができるが、特に、観察シート３００に対応される形状の溝からなることにより、観察シート３００の安着の際の観察シート３００を安定的に支えながら、揺れないように固定することができる。貫通孔１３０は、安着溝１２０の中央に形成されて第１組立ボディ１１０を貫通でき、ユーザー端末１０に体液分析用の検査装置１を取り付ける場合、カメラ１１と対向する方向に位置して観察シート３００に収容された対象体液を貫通孔１３０を通じて撮影できるようにする。第１連通孔１４０は、安着溝１２０と外部空間とを連通させるために、第１組立ボディ１１０の枠の部位を貫通して形成されることができる。第１連通孔１４０は、下記で説明する観察シート３００の掴み部３２０が安着でき、掴み部３２０の断面に対応する形状からなることができる。少なくとも一つの結合溝１５０は、第１組立ボディ１１０の上面に形成され、下記で説明する第２組立体２００の結合突起２４０と結合されることにより、第１組立体１００と第２組立体２００を組み立てることができる。例えば、結合溝１５０が二つの場合、第１組立ボディ１１０の上面の左右にそれぞれ形成され、第２組立体２００に備えられた二つの結合突起２４０とそれぞれ結合されることができる。
【００３７】
また、第１組立体１００は、第１組立ボディ１１０の内側の中央、特に観察シート３００が安着される安着溝１２０の中央に内設される拡大レンズ１６０をさらに含むことができる。拡大レンズ１６０を通じて対象体液を観察する場合、対象体液を拡大することができますので、ピンホール「Ｐｉｎ  Ｈｏｌｅ」の効果が生成されることができる。ここで、ピンホール効果は、小さな孔を通じて見る際に、比較的に鮮やかに見える現象であって、下記で説明する第２組立体２００のレンズ透過孔２２０を通じて入ってくる光が一箇所に集める必要なく、一直線に入って来るので正確な像が結ばれて対象体液を鮮やかに観察することができる。このように、拡大レンズ１６０は、ユーザー端末１０のカメラ１１で足りない拡大比率を補完して、対象体液を十分に拡大して観察することができるようにする。
【００３８】
また、第１組立体１００は、第１組立ボディ１１０の外枠に沿って段になるように形成され、第２組立体２００との結合による組み立てを案内する第１の周囲段顎１７０をさらに含むことができる。これにより、第１組立体１００と第２組立体２００が組み立ての際に左右すべりに対応して補強がなすことができ、第１組立体１００と第２組立体２００の組み合わせによる席の位置を簡単に確保でき、組み立てを容易にすることができる。
【００３９】
図４ａは、本発明の一実施例による第２組立体の平面図及び、図４ｂは図４ａに示したＢ−Ｂ線の拡大断面図を示す。
【００４０】
図４ａおよび図４ｂを参考にすれば、第２組立体２００は、第１組立体１００の上側に組み立てできるように構成され、平板の第２組立ボディ２１０、光を集光するレンズ透過孔２２０、第２組立ボディ２１０に形成される第２連通孔２３０及び、第１組立体１００の結合溝１５０と結合されるように、第２組立ボディ２１０の下面に形成される少なくとも一つの結合突起２４０を含むことができる。
【００４１】
第２組立ボディ２１０は、外部の衝撃や汚染から対象体液を保護することができ、対象体液を安定的に撮影することができるように、合成樹脂または金属などのように外部からの衝撃に強く、軽い物質からなることができる。また、第２組立ボディ２１０の外面は、光の透過が限られた部分のみからなるように、非透過性塗料で着色されたり、不透明な材料からなることができる。
【００４２】
レンズ透過孔２２０は、狭い垂直の孔であって、第２組立ボディ２１０の上側の中心から下側に貫通することができ、貫通される第２組立ボディ２１０の上部面の周辺には黒色に塗布することができる。これにより、光をよく吸収する黒色の影響を受け、狭い穴に、より多くの光を吸収することができるようにする。
【００４３】
第２連通孔２３０は、第１連通孔１４０と対応する位置に第２組立ボディ２１０の枠の部位を貫通して形成されることができる。すなわち、第２連通孔２３０は、観察シート３００の掴み部３２０が、外部空間に配置されるよう、第２組立ボディ２１０に形成されることができる。より詳しくは、下記で説明する観察シート３００の掴み部３２０が安着されることができ、掴み部３２０の断面に対応する形状になることができる。少なくとも一つの結合突起２４０は、第２組立ボディ２１０の下面に突出形成されて少なくとも一つの結合溝１５０に結合することができる。つまり、結合突起２４０が二つである場合、第２組立ボディ２１０の場合、左右側にそれぞれ突出形成されることができ、結合溝１５０に対向する位置に設置され、第１組立体１００と第２組立体２００の結合の際の結合突起２４０が結合溝１５０にそれぞれ挿入されるようにする。
【００４４】
また、第２組立体２００は、第２組立ボディ２１０の外枠に沿って段になるように形成されて、第１組立体１００との結合による組み立てを案内する第２周囲突起２５０をさらに含むことができる。ここで、第１組立体１００の枠に設置される第１周囲段顎１７０と第２組立体２００の枠に設置される第２周囲突起２５０が相互に対応して結合できるように設置することができるため、第１組立体１００と第２組立体２００の組み合わせに応じた位置の調整がなくても、第１組立体１００と第２組立体２００を簡単に組み立てることができる。
【００４５】
図５は、本発明の一実施例に係る観察シートの平面図を示す。
【００４６】
図５を参考にすれば、観察シート３００は検査しようとする対象体液が塗布され、ユーザー端末１０のカメラ１１が対象体液を撮影することができるようにする載物台の役割をする。これのため観察シート３００は対象体液を収容するボディ部３１０とボディ部３１０から延長される掴み部３２０を含むことができる。ボディ部３１０は一定な量の対象体液を収容することができ、薄い板の形状で形成されることができる。ボディ部３１０は光の透過と鮮やかな映像を獲得するために透明な材質、例えば、ポリカーボネート、ポリエチレン、アクリルのような合成樹脂材質やガラス材質からなることができる。または、ボディ部３１０は対象体液が鮮やかに観察されることができるように単色または対象体液の補色で彩色されたり、一面にフィルムが付着されることもある。
【００４７】
ボディ３１０は、対象体液が投入されるように形成される体液投入部３１１及び、体液投入部３１１に投入された対象体液が拡大レンズ１６０の視野で観察されるように誘導する体液誘導部３１２を含むことができる。体液投入部３１１は、対象体液の投入を誘導するようにボディ部３１０に形成される少なくとも一つの体液ガイド溝３１１ａ、３１１ｂを含むことができる。例えば、体液投入部３１１は、ボディ部３１０の左右側にそれぞれ形成される一対の体液ガイド溝３１１ａ，３１１ｂを含むことができる。
【００４８】
体液誘導部３１２は、体部３１０の中心部に平板状に挿入され、体液投入部３１１に投入された対象体液を保護しながら対象体液が中心の内側に浸透して拡大レンズ１６０の視野で観察されるように誘導することができる。また、体液誘導部３１２は体液投入部３１１の底より高く形成され、第２組立体２００のレンズ透過孔２２０と一定の間隔を維持できるようにする。一対の体液ガイド溝３１１ａ、３１１ｂに対象体液をそれぞれ落とすと、対象体液は体液ガイド溝３１１ａ、３１１ｂから体液誘導部３１２の中心内側に染み込むことになるが、その際、一定量の対象体液が吸収されるように体液誘導部３１２の上面は液体を吸収できる綿、紙または多孔性合成樹脂のような材質で塗布されことができる。
【００４９】
掴み部３２０は、ボディ部３１０から延長され、第１組立体１００及び第２組立体２００の外部空間に配置されることができる。掴み部３２０は、ユーザーが把持できるように構成され、ボディ部３１０を第１組立体１００の安着溝１２０に容易に挿入したり又は離脱させたりすることができる。この際、掴み部３２０は，ボディ部３１０と同じ材質で形成されることがあるが、この限定されない。このように、観察シート３００に掴み部３２０を具現し、ユーザーによって対象体液の汚染を防止するだけでなく、体液分析用の検査装置１の内部に観察シート３００を容易に安着させ、分離することができる。
【００５０】
また、掴み部３２０には観察シート３００の投入方向をユーザーが容易に確認できるように方向表示手段が表示されることができる。
【００５１】
一方、掴み部３２０は、第１組立体１００及び第２組立体２００の内部空間に配置されることもできる。すなわち、安着溝１２０が観察シート３００の平面と同じ形状で構成される場合には、掴み部３２０は、ボディ部３１０と一緒に第１組立体１００及び第２組立体２００の内側に安着することができる。このように、ボディ部３１０および掴み部３２０が、第１組立体１００及び第２組立体２００の内部空間に配置される場合、第１組立体１００及び第２組立体２００には、第１連通孔１４０及び第２連通孔２３０が備えられていないことがある。
【００５２】
また一方で、第１組立体１００は、ユーザー端末１０のカメラ１１と向き合う方向に貫通孔１３０が位置するように設置し、第２組立体２００のレンズ透過孔２２０を通じて光が集光されるようにすることで、観察シート３００に収容された対象体液を拡大レンズ１６０を通じて鮮やかに観察することができるようにする。
【００５３】
すなわち、レンズ透過孔２２０を通じて光を集光することができるので、拡大レンズ１６０に入ってくる光を明らかにして観察シート３００で観察される対象体液の鮮明度及び明るさを向上させることができ、これにより、ユーザー端末１０で鮮やかな映像が表出されるようにする。
【００５４】
以下では、本発明を実施例による体液分析用の検査装置を用いて、対象体液を検査する過程について、例を挙げて説明する。
【００５５】
まず、ユーザー端末１０のカメラ１１の上側に体液分析用の検査装置１００の第１組立体１００を据え置きしたり、付着したりした後、第１組立体１００の安着溝１２０に観察シート３００を安着させる。
【００５６】
次に、第１組立体１００に安着された観察シート３００の体液投入部３１１に対象体液を落とした後、第１組立体１００の上側に第２組立体２００を結合して組み立てを終えることができる。この際、第１組立体１００の安着溝１２０に対象体液が収容された観察シート３００を先に安着させた後、観察シートが安着された第１組立体１００と第２組立体２００を結合して組み立てた後に、第１組立体１００と第２組立体２００が結合された体液分析用の検査装置をユーザー端末１０に取付けたり、付着させたりすることも可能である。
【００５７】
その後、ユーザー端末１０の体液分析検査専用プログラムやアプリケーションを実行して、カメラ１１を通じて観察シート３００に収容された対象体液を観察して撮影することで、体液分析検査プロセスを実行することができる。
【００５８】
このように、体液分析用の検査装置１は、ユーザーが手軽に携帯しながらも、実使用で簡単に対象体液だけを収集して検査装置に投入することで、ユーザーが直接体液検査を行うことができるようにして、対象体液を分析した結果をユーザー端末を通じてすぐに確認することができるので、ユーザーに利便性と正確な検査結果を提供することができる。
【００５９】
以上で、本発明の望ましい実施例について詳細に説明したが、本発明の権利範囲はこれに限定されるものではなく、次の請求の範囲で定義している本発明の基本的な概念を用いた当業者の様々な変形及び改良形態も、本発明の権利範囲に属するものである。
【図１】
2021521468.tif 000003
【図２】
2021521468.tif 000004
【図３ａ】
2021521468.tif 000005
【図３ｂ】
2021521468.tif 000006
【図４ａ】
2021521468.tif 000007
【図４ｂ】
2021521468.tif 000008
【図５】
2021521468.tif 000009
【国際調査報告】
2021521468.tif 000010
2021521468.tif 000011
2021521468.tif 000012
2021521468.tif 000013